(57)【要約】【課題】  少ない本数の収納部であっても、効率的に収納でき、しかも安定して段積みできるボトル用トレーを提供する。【解決手段】  平面正三角形状の底板上に凸部または仕切壁によってボトル底部を収納するボトル収納部を各端縁部に沿ってそれぞれ同数ずつ設けてなり、前記底板下面にはボトル収納部の略中心に対応させてボトル頭部を挿入する円環リブを設け、底板の外周縁には底板よりも下方に突出した側板を設けたことを特徴とする。底板上の凸部は中空状凸部であって、底板の各端縁部に設けた前記凸部の外側面に側板の下面が載置する段部を設け、側板の上端を前記段部まで延設する構成とすることが好ましい。また、凸部は、略台形状凸部、略三角形状凸部、略Ｙ字形状凸部とすることができる。【選択図】  図１
2005324843.tif 000002
【特許請求の範囲】
【請求項１】
平面正三角形状の底板上に凸部または仕切壁によってボトル底部を収納するボトル収納部を各端縁部に沿ってそれぞれ同数ずつ設けてなり、前記底板下面にはボトル収納部の略中心に対応させてボトル頭部を挿入する円環リブを設け、底板の外周縁には底板よりも下方に突出した側板を設けたことを特徴とするボトル用トレー。
【請求項２】
底板上の凸部は中空状凸部であって、底板の各端縁部に設けた前記凸部の外側面に側板の下面が載置する段部を設け、側板の上端を前記段部まで延設したことを特徴とする請求項１に記載のボトル用トレー。
【請求項３】
凸部は、略台形状凸部、略三角形状凸部、略Ｙ字形状凸部からなることを特徴とする請求項１または請求項２に記載のボトル用トレー。
【請求項４】
底板上の凸部は板状凸部としたことを特徴とする請求項１に記載のボトル用トレー。
【請求項５】
底板上に設けた仕切壁によってボトル収納部を六角形状または五角形状の区室としたことを特徴とする請求項１に記載のボトル用トレー。
【請求項６】
前記円環リブ同士を補強リブによって連結したことを特徴とする請求項１〜５のいずれか１項に記載のボトル用トレー。
【発明の詳細な説明】
【技術分野】
【０００１】
この発明は、ジュース、清涼飲料、コーヒー、紅茶等を充填したボトル、ペットボトル等のボトル類を保管、運搬したり、陳列する際に使用するボトル用トレーに関する。
【背景技術】
【０００２】
従来、ジュース、清涼飲料、コーヒー、紅茶等はボトル、ペットボトル等のボトル類に充填されて流通している。これらのボトル類には、主として、容量が１．５リットルや２．０リットルのものが使用されており、保管、運搬したり、特に店内に陳列する際には、パレット形式のボトル用トレーが用いられる。
【０００３】
これらのボトル用トレーは、例えば、実公平５−１８２６４号公報記載の「ボトル用パレット」、実開平３−４５８６６号公報記載の「スタック可能なボトルトレー」及び特開２００１−８０６４６「瓶体陳列用容器」のように、上面側に設けた嵌合部にボトル（ペットボトル）の底部を嵌合して直立整列させるとともに、この直立したペットボトルの上部に別のボトル用トレーを載せて、下面側に設けた嵌合部にペットボトルの上部を嵌合させることによって積み重ねるようにしたものである。
【０００４】
そして、一般に使用されているボトル用トレーは、平面長方形状であって、４×６の２４本入り、または４×３の１２本入りのものがほとんどである。ボトル用トレーは、ボトルの底部のみを嵌合させて収納し、積み重ねるときは、ボトル自体が荷重を支えるものである。
【特許文献１】実公平５−１８２６４号公報
【特許文献２】実開平３−４５８６６号公報
【特許文献２】特開２００１−８０６４６号公報
【発明の開示】
【発明が解決しようとする課題】
【０００５】
しかしながら、上記公知のボトル用トレーは、ボトルの底部のみを嵌合しているにすぎないので、持ち運ぶ際に安定しない。特に大型ボトルを収納した場合には、重いので安定した状態で持ち運ぶことができず、作業性が悪いばかりでなく、落下させる危険がある。また、陳列する店内が狭い場合には、スペースの関係からもボトル用トレーの小型化が望まれている。さらに、小型化によりボトル用トレーのコストダウンも要求されている。このように、ボトル用トレーの小型化が望まれている。
【０００６】
ボトル用トレーの小型化を図る際には、従来の２ダース入りや１ダース入りを考慮すると、本数の計算が容易な半ダース入りのボトル用トレーが考えられる。しかしながら、従来のように平面四角形で３×２の６本入りのトレーとすると、単独で使用する場合ばかりでなく、段積みした場合には極めて安定性に欠けることになる。
【０００７】
この発明は、かかる現況に鑑みてなされたもので、最も安定しているとともに、無駄なスペースがなく効率的に収納でき、安定した状態で段積みすることができるボトル用トレーを提供することを目的とするものである。
【課題を解決するための手段】
【０００８】
この発明は上記目的を達成するために次のような構成とした。即ち、この発明に係るボトル用トレーは、平面正三角形状の底板上に凸部または仕切壁によってボトル底部を収納するボトル収納部を各端縁部に沿ってそれぞれ同数ずつ設けてなり、前記底板下面にはボトル収納部の略中心に対応させてボトル頭部を挿入する円環リブを設け、底板の外周縁には底板よりも下方に突出した側板を設けたことを特徴とする。前記底板上の凸部は中空状凸部であって、底板の各端縁部に設けた前記凸部の外側面に側板の下面が載置する段部を設け、側板の上端を前記段部まで延設することが好ましい。また、前記凸部は、略台形状凸部、略三角形状凸部、略Ｙ字形状凸部を組み合わせることによって構成することができる。また、前記底板上の凸部は板状凸部としてもよい。さらに、ボトル収納部は、底板上に設けた仕切壁によって六角形状または五角形状の区室とすることもできる。前記円環リブ同士を補強リブによって連結することが好ましい。
【発明の効果】
【０００９】
この発明では、平面形状を正三角形状としたから、収納本数が少ないボトル用トレーとした場合にもいずれの方向に対しても比較的安定しているから、横に並べて段積みしても荷崩れのおそれがない。また、無駄なスペースをなくして最も効率的に収納することができ、製造コストの低減を図ることができる。従来は１ダース収納のボトル用トレーが使用されているところから、平面形状を正三角形状の６本収納のボトル用トレーとすると各側端縁は３本収納となり、従来のボトル用トレーに並べることができる。また、平面形状を正三角形状としたから、横に並べて陳列する際にも、平面において円形状に並べたり、直線状に並べたり、あるいはジグザグ状に並べたり、種々の形状に並べて陳列することができ、陳列する場所に応じて対応することができる。
【発明を実施するための最良の形態】
【００１０】
以下に、図示する実施形態について詳細に説明する。ボトル用トレー１０は、平面正三角形状を呈しており、底板１２の上面にボトル底部を収納するボトル収納部１３を設けてなる。正三角形の底板１２の外周縁には底板１２よりも下方に突出した側板１９を設けてなる。前記ボトル収納部１３は、角部の略台形状凸部１３ａと、その中間に配設された略三角形状凸部１３ｂと、中央部の略Ｙ字形状凸部１３ｃのうち、２つ以上によって囲まれた凹部であって、それぞれ同一ピッチで形成されている。前記各凸部のボトルに接する側面は円形の一部を構成するように湾曲面に形成されている。なお、ボトル用トレー１０を更に小型化する場合は、正三角形の底板１２の先端部を対向する反対側の側端縁と平行に切り落とすとよい。また、前記各凸部のボトルに接する側面は、ボトルが嵌入し易いように僅かに上方に向かって拡径した傾斜面に形成するのが好ましい。
【００１１】
前記ボトル収納部１３は、図１及び２から明らかなように、各側端縁に沿って３つずつ形成されている。また、前記ボトル収納部１３は、一辺を基準にすれば、一列目は側端縁に沿って３つ形成されており、二列目は２つ、三列目は先端に１つ形成されることになり、二列目以降の収納部は、側端縁の一列目の数から一つずつ減じた数の収納部が設けられることになる。図示する実施形態のボトル用トレーでは、全部で６本のボトルが収納される。
【００１２】
前記略台形状凸部１３ａ、略三角形状凸部１３ｂ、略Ｙ字形状凸部１３ｃは、底面が開口した中空状凸部であって、互いに間隔を有しボトルを囲むように配設されており、また、略三角形状凸部１３ｂの上面には略三角形の透孔１５が設けられている。また、前記略台形状凸部１３ａ、略三角形状凸部１３ｂの外側面の中間部には、段部１６，１７が形成してあり、前記段部１６，１７まで側板１９が延設されている。
【００１３】
従って、ボトルトレー同士を段積みしたときに、上段のボトルトレーの側板１９内に下段のボトル用トレーの略台形状凸部１３ａ、略三角形状凸部１３ｂ、略Ｙ字形状凸部１３ｃが嵌合し、側板１９の下面が下段のボトル用トレーの前記段部１６，１７に載置する。
【００１４】
前記ボトル収納部１３の中心となる底板１２には、ゴミの溜まりを防止し、洗浄時の水切りをよくするための透孔２０が穿設されており、底板１２の下面には、ボトルの頭部を挿入する円環リブ２１が設けられている。前記円環リブ２１は、透孔２０の中心とほぼ同心であって、底板１２とともに円環リブ２１同士を連結する補強リブ２２と、円環リブ２１と側板１９を連結する補強リブ２３によって補強されている。前記補強リブ２２，２３は、ボトル用トレー同士を段積みしたときに、下段のボトル用トレーの各凸部の間に位置するように設けられている。なお、前記透孔２０は、ゴミの溜まりや洗浄時の水切りを考慮する必要がない場合には、適宜省略してもよい。
【００１５】
各側端縁の中央部には、ボトル用トレー同士を段積みしたときに手掛け孔を形成するための切欠２５が設けられている。前記切欠２５は、略三角形状凸部１３ｂ、１３ｂ間の側板１９の上部を底板１２の高さ位置まで切り欠いた状態とすることによって形成されている。前記段部１６，１７は、略台形状凸部１３ａ、略三角形状凸部１３ｂの外側面の中間部の底板１２よりも上方に形成されているから、ボトル用トレー同士を段積みしたとき、下段のボトル用トレーの側板上部に手掛け孔が形成されることになる。
【００１６】
さらに、ボトル用トレー１０の下面について詳述すると、上面形状とは反対に、中空状凸部の部分は中空状凹部となっているものであり、従って、中空状凸部の下面は開口している。また、底板１２の下面には、透孔２０とほぼ同心とした円環リブ２１が下向きに突設されている。前記円環リブ２１は、下段のボトル用トレーのボトル収納部１３にボトル底部を嵌入して上段のボトル用トレー１０を積み重ねたときに、下段のボトルの頭部が挿入されるように形成されている。補強リブ２２，２３は、側板１９とほぼ同じ高さに形成されており、底板１２及び側板１９の変形を防止し、トレー全体のねじれに対する強度を増大させることになる。
【００１７】
尚、前記実施形態では、円環リブ２１は、すべてのボトルに対応するように設けられているが、適宜の箇所の円環リブ２１を省略することができる。また、上記実施形態では、各辺に３本ずつ、合計６本のボトルを収納するボトル用トレー１０について説明したが、この発明は、平面正三角形を基本とするから、各辺には２本以上のボトルを収納するボトル収納部１３を設けることができる。平面正三角形状としたから安定した状態でボトルを収納することができる。また、持ち運びの容易さや、従来収納数の基本としてダースを用いていることを考慮すると、実施形態のように各辺に３本ずつ収納する嵌合部を設けたボトル用トレーであることが好ましい。
【００１８】
また、上記実施形態では、各凸部は島状に独立させて突設したが、これに限定されるものではなく、各凸部の先端部を仕切壁によって連結してもよい。また、略台形状凸部１３ａと略Ｙ字形状凸部１３ｃにも略三角形状凸部１３ｂと同様に上面に透孔を設けてもよく、また各凸部は、中空状突部ではなく板状仕切壁としてもよい。例えば、略台形状凸部１３ａをコ字形の板状凸部、略三角形状凸部１３ｂをＴ字形の板状凸部、略Ｙ字形状凸部１３ｃをＹ字形の板状凸部とすることができる。さらに、ボトル収納部は、円形に限定されるものではなく、各辺に平行な仕切り壁によって平面六角形の区室または各辺と直交する仕切り壁によって平面五角形の区室を形成し、この六角形または五角形の区室をボトル底部を収納するボトル収納部としてもよい。
【００１９】
また、空のボトル用トレーを回収し保管する場合には、円環リブ２１を下段のトレーのボトル収納部１３内に挿入し、補強リブ２２，２３は、各凸部の間に挿入されるとともに、下段のボトル用トレーの各凸部は、上段のボトル用トレーの側板内に嵌合され、下段のボトル用トレーの段部１６，１７に載置されるので、滑り落ちることがなく安定した状態で積み重ねることができる。
【００２０】
さらに、ボトル用トレー１０の側板１９同士を接して横方向に並列させる場合には、種々の形状に並列させることができる。例えば、１つの角部を内側に向けて並列させると円形状となり、１つの角部を互い違いに反対方向に向けると直線状となり、その他に鈎形やジグザグ状等任意の形状に並列させることができ、店内のスペースに対応させて陳列することができる。
【図面の簡単な説明】
【００２１】
【図１】この発明に係るボトル用トレーの実施形態を示す斜視図である。
【図２】同じく平面図である。
【図３】同じく底面図である。
【図４】図１のＡ−Ａ線断面図である。
【図５】図１のＢ−Ｂ線断面図である。
【符号の説明】
【００２２】
１０：ボトル用トレー
１２：底板
１３：ボトル収納部
１３ａ：略台形状凸部
１３ｂ：略三角形状凸部
１３ｃ：略Ｙ字形状凸部
１５：三角形透孔
１６，１７：段部
１９：側板
２０：透孔
２１：円環リブ
２２，２３：補強リブ
【図１】
2005324843.tif 000003
【図２】
2005324843.tif 000004
【図３】
2005324843.tif 000005
【図４】
2005324843.tif 000006
【図５】
2005324843.tif 000007